(57)【要約】【課題】医療支援システムにおいて、バイタルデータ入力用の業務端末装置に接続されるＩＣカードリーダを共用できる情報処理方法を提供する。【解決手段】患者のバイタルデータを測定する測定装置４００を一意に識別する装置識別用の参照情報Ｄ２refを所定の記憶領域にあらかじめ記憶させておき、非接触式のＩＣカードリーダ２０１にデータが入力されると、入力されたデータを利用者認証用の参照情報Ｄ１refおよび装置識別用の参照情報Ｄ２refと照合し、照合の結果、利用者認証用の参照情報Ｄ１refと一致するデータが含まれている場合には認証サーバ３００による利用者認証処理を実行し、装置識別用の参照情報Ｄ２refと一致するデータが含まれている場合には業務端末装置２００によるバイタルデータの読取処理を実行するように構成する。【選択図】  図１
2020187597.tif 000002
【特許請求の範囲】
【請求項１】
患者のバイタルデータを入力するための業務端末装置と、前記業務端末装置の利用者認証用の参照情報を有する認証サーバと、前記業務端末装置の認証要素入力用の非接触式ＩＣカードリーダとを備える医療支援システムにおいて、前記非接触式ＩＣカードリーダをバイタルデータの入力装置として使用するための情報処理方法であって、
患者のバイタルデータを測定する測定装置を一意に識別する装置識別用の参照情報を所定の記憶領域にあらかじめ記憶させておき、
前記非接触式ＩＣカードリーダにデータが入力されると、当該入力されたデータを前記利用者認証用の参照情報および装置識別用の参照情報と照合し、照合の結果、前記利用者認証用の参照情報と一致するデータが含まれている場合には前記認証サーバによる利用者認証処理を実行し、前記装置識別用の参照情報と一致するデータが含まれている場合には前記業務端末装置によるバイタルデータの読取処理を実行する
ことを特徴とする医療支援システムにおける情報処理方法。
【請求項２】
患者のバイタルデータを入力するための業務端末装置と、前記業務端末装置の利用者認証用の参照情報を有する認証サーバと、前記業務端末装置の認証要素入力用の非接触式ＩＣカードリーダとを備える医療支援システムにおいて、前記非接触式ＩＣカードリーダをバイタルデータの入力装置として使用するための情報処理方法であって、
前記業務端末装置は、所定のアプリケーションが未起動の状態であるときは、前記非接触式ＩＣカードリーダに入力されるデータを前記利用者認証用のデータとして受け付け、前記所定のアプリケーションが起動した状態であるときは、前記非接触式ＩＣカードリーダに入力されるデータを患者のバイタルデータとして受け付ける
ことを特徴とする医療支援システムにおける情報処理方法。
【請求項３】
前記所定のアプリケーションは、バイタルデータを電子文書化するアプリケーションであることを特徴とする請求項２に記載の医療支援システムにおける情報処理方法。
【発明の詳細な説明】
【技術分野】
【０００１】
この発明は医療支援システムにおける情報処理方法に関し、より詳細には、病院などの医療機関において測定した患者のバイタルデータを、診療録や看護記録などの電子文書を取り扱う医療支援システムに取り込むための情報処理方法に関する。
【背景技術】
【０００２】
近年、病院などの医療機関において患者のバイタルサイン（たとえば、体温、脈拍、血圧、血糖値など）を測定する測定装置（たとえば、体温計、パルスオキシメータ、血圧計、血糖値測定器など）には、測定したバイタルサインのデータ（バイタルデータ）を近距離無線通信技術を使って非接触式のＩＣカードリーダに読み取らせるように構成したものが提案されている（非特許文献１参照）。
【０００３】
この種の測定装置には、近距離無線通信に対応したＩＣチップ（たとえば、ＮＦＣチップ）が内蔵されており、測定したバイタルデータはＩＣチップ内のメモリ領域に記憶され、測定装置をＩＣカードリーダにかざすことによって測定装置とＩＣカードリーダ間で近距離無線通信が行われ、ＩＣチップ内に記憶されているバイタルデータがＩＣカードリーダに読み取られるようになっている。
【先行技術文献】
【特許文献】
【０００４】
【非特許文献１】通信機能付きバイタルサイン測定機器に関する製品情報のウェブページ（https://www.terumo.co.jp/medical/equipment/me303.html）
【発明の概要】
【発明が解決しようとする課題】
【０００５】
しかしながら、このような従来のやり方には以下のような問題があった。
すなわち、従来のシステムでは、測定装置のＩＣチップに記憶されたバイタルデータの読み取りは、バイタルデータを入力するコンピュータに、データ読取用の専用のソフトウェアをインストールするとともに、データ読取用の専用のＩＣカードリーダを接続することにより行われている。
【０００６】
その一方、この種の測定装置におけるデータ読取用のソフトウェアやＩＣカードリーダは、測定装置の製造メーカごとに異なるソフトウェアやＩＣカードリーダが提供されている。
【０００７】
そのため、医療機関では、この種の測定装置の導入にあたり異なる製造メーカの測定装置を導入すると、医療支援用のコンピュータ（業務端末装置）に、すべての製造メーカのソフトウェアをインストールしなければならない一方、すべての製造メーカのＩＣカードリーダも接続しなければならなかった。図５は、製造メーカが異なる体温計（Ａ社製）、パルスオキシメータ（Ｂ社製）、体重計（Ｃ社製）、血糖値測定器（Ｄ社製）で測定したバイタルデータを医療支援用のコンピュータに読み取らせる場合におけるＩＣカードリーダの接続状態を模式的に示している。
【０００８】
ここで、患者のバイタルデータの測定や測定結果のコンピュータへの入力といった作業の多くは病室で行われている。そのため、バイタルデータを入力する医療支援用のコンピュータには持ち運びが容易なノート型やタブレット型のコンピュータが好適に用いられるが、従来のやり方では、このような持ち運びを前提としたコンピュータに複数のＩＣカードリーダが接続されることになってしまい持ち運びに不便である一方、データの入力に際しては当該測定装置に対応するＩＣカードリーダを的確に選択しなければならず、データの入力作業に手間がかかるといった問題があった。
【０００９】
本発明は、このような問題点に鑑みてなされたものであって、その目的とするところは、医療支援システムにおいて、バイタルデータ入力用の業務端末装置に接続されるＩＣカードリーダを共用できる情報処理方法を提供することにある。
【課題を解決するための手段】
【００１０】
上記目的を達成するため、本願の発明者らは、医療支援システムの業務端末装置には、バイタルデータの入力用のＩＣカードリーダの他に、従来より業務端末装置の利用者認証用にＩＣカードリーダが備えられていることに着目した。そして、利用者認証用のＩＣカードリーダをバイタルデータの入力用に兼用可能とすることで、業務端末装置に接続されるＩＣカードリーダの一本化を実現すべく、以下の情報処理方法を発明するに至った。
【００１１】
本発明の請求項１に係る医療支援システムにおける情報処理方法は、
患者のバイタルデータを入力するための業務端末装置と、上記業務端末装置の利用者認証用の参照情報を有する認証サーバと、上記業務端末装置の認証要素入力用の非接触式ＩＣカードリーダとを備える医療支援システムにおいて、上記非接触式ＩＣカードリーダをバイタルデータの入力装置として使用するための情報処理方法であって、
患者のバイタルデータを測定する測定装置を一意に識別する装置識別用の参照情報を所定の記憶領域にあらかじめ記憶させておき、
上記非接触式ＩＣカードリーダにデータが入力されると、当該入力されたデータを上記利用者認証用の参照情報および装置識別用の参照情報と照合し、照合の結果、上記利用者認証用の参照情報と一致するデータが含まれている場合には上記認証サーバによる利用者認証処理を実行し、上記装置識別用の参照情報と一致するデータが含まれている場合には上記業務端末装置によるバイタルデータの読取処理を実行する
ことを特徴とする。
【００１２】
本発明の請求項２に係る医療支援システムにおける情報処理方法は、
患者のバイタルデータを入力するための業務端末装置と、上記業務端末装置の利用者認証用の参照情報を有する認証サーバと、上記業務端末装置の認証要素入力用の非接触式ＩＣカードリーダとを備える医療支援システムにおいて、上記非接触式ＩＣカードリーダをバイタルデータの入力装置として使用するための情報処理方法であって、
上記業務端末装置は、所定のアプリケーションが未起動の状態であるときは、上記非接触式ＩＣカードリーダに入力されるデータを上記利用者認証用のデータとして受け付け、上記所定のアプリケーションが起動した状態であるときは、上記非接触式ＩＣカードリーダに入力されるデータを患者のバイタルデータとして受け付ける
ことを特徴とする。
【００１３】
本発明の請求項３に係る医療支援システムにおける情報処理方法は、
上記所定のアプリケーションは、バイタルデータを電子文書化するアプリケーションであることを特徴とする。
【発明の効果】
【００１４】
本発明によれば、業務端末装置の利用者認証用として備えられた非接触式ＩＣカードリーダをバイタルデータの読み取り用のＩＣカードリーダとして使用することができるので、業務端末装置に接続されるＩＣカードリーダを一本化することができる。
【００１５】
また、単一のＩＣカードリーダで利用者認証とバイタルデータの読み取りの双方が実現できるので、業務端末装置に接続されるＩＣカードリーダの数が少なくなり、持ち運びや操作性に優れた業務端末装置を提供することができる。
【図面の簡単な説明】
【００１６】
【図１】本発明を適用した医療支援システムの概略構成の一例を示すシステム構成図である。
【図２】本発明に係る医療支援システムにおける情報処理方法を用いた情報処理手順の一例を示すフローチャートである。
【図３】本発明を適用した医療支援システムの第２の実施形態の概略構成の一例を示すシステム構成図である。
【図４】同医療支援システムにおける情報処理方法の他の実施形態による情報処理手順の一例を示すフローチャートである。
【図５】従来の医療支援システムにおける業務端末装置に備えられるＩＣカードリーダの構成を模式的に示す説明図である。
【発明を実施するための形態】
【００１７】
以下、本発明の実施形態を図面に基づいて詳細に説明する。
実施形態１
図１は、本発明が適用される医療支援システムの概略構成を示している。
この医療支援システムは、病院などの医療機関において、診療録や看護記録など患者のバイタルサインのデータ（バイタルデータ）を記録する電子文書を取り扱うコンピュータシステムであって、図１に示すように、電子文書を取り扱うアプリケーションを提供するアプリケーションサーバ１００と、アプリケーションサーバ１００が提供するアプリケーションを利用する業務端末装置２００と、業務端末装置２００に関する利用者認証を行う認証サーバ３００と、患者のバイタルサインを測定する測定装置４００と、ＩＣカードリーダ２０１に入力されるデータがバイタルデータであるか否かを識別するバイタルデータ識別サーバ５００と、医療機関内でコンピュータネットワークを構成するネットワークＮとを主要部として構成されている。
【００１８】
アプリケーションサーバ１００は、業務端末装置２００とともにクライアントサーバシステムを構成するサーバコンピュータであって、所定の記憶領域に電子文書を取り扱うアプリケーションを格納している。このアプリケーションは、電子カルテシステムや看護支援システムなど、患者のバイタルデータを電子文書化して記録するシステムのアプリケーションで構成される。なお、本実施形態では、このアプリケーションサーバ１００には看護支援システムのアプリケーションが格納されている場合を例示する。
【００１９】
業務端末装置２００は、アプリケーションサーバ１００とネットワークＮを介して通信接続されたクライアントコンピュータであって、ネットワークＮには複数の業務端末装置２００，２００，…が接続されている。本発明では、この業務端末装置２００は、患者のバイタルデータを入力する入力装置として用いられることから、各業務端末装置２００は医療機関内の各所（たとえば、病室、診察室、検査室など）に配置される。なお、業務端末装置２００は、いわゆるデスクトップ型のコンピュータで構成されてもよいが、好ましくは、ノート型やタブレット型などの持ち運び容易な小型のコンピュータで構成される。
【００２０】
ここで、業務端末装置２００は、上述したアプリケーションサーバ１００とのクライアントサーバシステムによって、アプリケーションサーバ１００に格納された看護支援システムのアプリケーションを利用できるようになっている。そのため、この業務端末装置２００は、アプリケーションの起動時または業務端末装置２００の起動時のいずれか少なくとも一方のタイミングで認証サーバ３００による利用者認証を受けるようになっている。
【００２１】
それに伴い、本実施形態では、業務端末装置２００には、利用者認証用のＩＣカードリーダ２０１が備えられている。このＩＣカードリーダ２０１は、業務端末装置２００の操作を許可された者（または、看護支援システムへのアクセス権を有する者）に付与される非接触式ＩＣカード（図示せず）のＩＣチップ内に格納された利用者認証用データ（個人識別用のデータ）Ｄ１を読み取るためのカードリーダであって、非接触式のカードリーダで構成される。
【００２２】
具体的には、このＩＣカードリーダ２０１は、近距離無線通信（ＮＦＣ：Near Field Communication）によってＩＣカードとデータの送受信が可能な非接触式のＩＣカードリーダで構成される。なお、図示例では、ＩＣカードリーダ２０１を、業務端末装置２００と有線接続されるタイプのカードリーダで構成した場合を示したが、業務端末装置２００に内蔵されるタイプのＩＣカードリーダで構成してもよい。
【００２３】
認証サーバ３００は、業務端末装置２００の起動時またはアプリケーション（本実施形態では、看護支援システムのアプリケーション）の起動時に利用者認証を行うサーバコンピュータであって、ネットワークＮを介してアプリケーションサーバ１００および業務端末装置２００などと通信接続されている。
【００２４】
認証サーバ３００には、利用者認証用データＤ１と照合するための利用者認証用の参照情報Ｄ１refが格納されており、利用者認証に際し、ＩＣカードリーダ２０１に入力された利用者認証用データＤ１と参照情報Ｄ１refとを照合し、一致すれば業務端末装置２００（または看護支援システム）の使用を許可する処理（利用者認証処理）を実行する一方、一致しなければ業務端末装置２００（または看護支援システム）の使用を許可しない処理を実行するように構成されている。
【００２５】
測定装置４００は、患者のバイタルサインを測定する機器であって、たとえば、体温計、パルスオキシメータ、血圧計、血糖値測定器、脈拍計、体重計などが例示される。本発明では、これらの測定装置４００は、バイタルサインを測定する測定部４０１と、測定したバイタルデータを記憶するデータ記憶部４０２と、ＩＣカードリーダ２０１との近距離無線通信用の近距離無線通信部４０３とを備えており、測定したバイタルデータ（データ記憶部４０２に記憶したバイタルデータ）をＩＣカードリーダ２０１に送信できるように構成されている。つまり、本発明に使用される測定装置４００は、近距離無線通信機能を備えた（換言すれば、非接触方式でＩＣカードリーダにデータを送信する機能を有するＩＣチップ４０４を備えた）測定装置で構成されている。
【００２６】
そして、本発明に適用される測定装置４００は、バイタルデータを送信する際に、バイタルデータに加え、測定装置４００を一意に特定できる装置識別情報（たとえば、測定装置４００の製造番号、または、製造番号と型式番号の組み合わせなど）Ｄ２を送信するように構成されている。なお、この装置識別情報Ｄ２は、バイタルデータの送信時に自動的に付加される構成であることが好ましいが、業務端末装置２００からの要求に応じて送信するように構成されていてもよい。また、装置識別情報Ｄ２は、上述した製造番号のように測定装置４００の製造時に付与される情報の他、たとえば、測定装置４００が導入された医療機関などにおいて事後的に付与する情報で構成されていてもよい。要は、測定装置４００を一意に識別可能な情報であれば、装置識別情報Ｄ２の内容は適宜変更可能である。
【００２７】
バイタルデータ識別サーバ５００は、ＩＣカードリーダ２０１に入力されるデータＤinがバイタルデータであるか否かの識別を行うサーバコンピュータであって、ネットワークＮを介して業務端末装置２００などと通信接続されている。
【００２８】
バイタルデータ識別サーバ５００には、医療機関内で使用される測定装置４００の装置識別情報Ｄ２の参照情報Ｄ２refが格納されており、ＩＣカードリーダ２０１に入力されたデータＤinとこの参照情報Ｄ２refとを照合し、受信したデータ中にこの参照情報Ｄ２refが含まれていれているか否かを判断する。そして、この判断の結果、データＤin中に参照情報Ｄ２refが含まれていれば、データＤinはバイタルデータを含んだデータであると判断する一方、参照情報Ｄ２refが含まれていなければ、データＤinはバイタルデータを含んでいないと判断するように構成されている。
【００２９】
ネットワークＮは、医療機関の施設内でＬＡＮ（Local Area Network）を構成するコンピュータネットワークである。このネットワークＮとしては、有線ＬＡＮまたは無線ＬＡＮが適宜採用される。
【００３０】
次に、このように構成された医療支援システムにおいて、測定装置４００に記憶されたバイタルデータを、利用者認証用のＩＣカードリーダ２０１を用いて読み取らせるための情報処理方法について図２を用いて説明する。
【００３１】
本実施形態に示す医療支援システムでは、ＩＣカードリーダ２０１にデータが入力されると、医療支援システムは、入力されたデータを利用者認証用の参照情報Ｄ１refおよび装置識別用の参照情報Ｄ２refと照合し、照合の結果、利用者認証用の参照情報Ｄ１refと一致するデータが含まれている場合には認証サーバ３００による利用者認証処理を実行し、装置識別用の参照情報Ｄ２refと一致するデータが含まれている場合には業務端末装置２００によるバイタルデータの読取処理を実行する。
【００３２】
具体的には、ＩＣカードリーダ２０１にデータが入力されると（図２のＳ２０１でＹｅｓ参照）、まず、入力されたデータＤinが利用者認証用データＤ１であるか否かを判断する（図２のＳ２０２参照）。
【００３３】
この判断は、認証サーバ３００で行われる。すなわち、データＤinを受け付けた業務端末装置２００は、受け付けたデータＤinに業務端末装置２００を特定する情報などを付加して認証サーバ３００に送信する。認証サーバ３００では、受信したデータを利用者認証用の参照情報Ｄ１refと照合し、参照情報Ｄ１refと一致するデータが含まれいるか否かを判断し、一致するデータが含まれていれば利用者認証許可となり（図２のＳ２０２でＹｅｓ参照）、業務端末装置２００（または看護支援システム）の使用を許可する所定の処理（利用者認証処理）を実行する。これにより、データＤinを送信した業務端末装置２００（または当該業務端末装置２００での看護支援システム）の操作が可能になる。
【００３４】
一方、認証サーバ３００が受信したデータに参照情報Ｄ１refと一致するデータが含まれていない場合（図２のＳ２０２でＮｏ参照）、入力されたＤinは利用者認証用データＤ１ではないので、測定装置４００のバイタルデータであるか否かを判断する（図２のＳ２０４参照）。
【００３５】
この判断は、バイタルデータ識別サーバ５００で行われる。すなわち、認証サーバ３００でデータＤinは利用者認証用データＤ１でないと判断されると、バイタルデータ識別サーバ５００は、ネットワークＮを介して受信したデータを参照情報Ｄ２refと照合し、参照情報Ｄ２refと一致するデータが含まれいるか否かを判断する。そして、一致するデータが含まれていればＩＣカードリーダ２０１に入力されたデータＤ１はバイタルデータであると判断し（図２のＳ２０４でＹｅｓ参照）、業務端末装置２００にバイタルデータとしての受付処理（バイタルデータの読取処理）を実行させる（図２のＳ２０５参照）。これにより、業務端末装置２００では、ＩＣカードリーダ２０１に入力されたデータＤinをバイタルデータして読取り、読み取ったバイタルデータの保存など、アプリケーションの指令に沿って所定の処理が実行される。
【００３６】
これに対して、バイタルデータ識別サーバ５００が受信したデータに参照情報Ｄ２refと一致するデータが含まれていない場合（図２のＳ２０４でＮｏ参照）、入力されたＤinは利用者認証用データＤ１およびバイタルデータのいずれでもないので、読み取り不能として所定のエラー処理を実行する（図２のＳ２０６参照）。
【００３７】
このように、本実施形態に示す医療支援システムによれば、ＩＣカードリーダ２０１にデータが入力されると、入力されたデータＤinが、利用者認証用データＤ１を含んでいる場合には利用者認証を行って業務端末装置２００またはアプリケーションの利用を許可する一方、測定装置４００の装置識別情報Ｄ２を含んでいる場合にはバイタルデータの読み取りを行うので、業務端末装置２００に利用者認証用として備えられている非接触式のＩＣカードリーダ２０１をバイタルデータの読み取り用のＩＣカードリーダとしても使用することができ、業務端末装置に接続されるＩＣカードリーダを一つにすることができる。
【００３８】
また、単一のＩＣカードリーダ２０１で利用者認証とバイタルデータの読み取りの双方を行うことができるので、業務端末装置２００に接続されるＩＣカードリーダ２０１の数を少なくでき、持ち運びや操作性に優れた業務端末装置２００を提供することができる。
【００３９】
なお、上述した実施形態では、ＩＣカードリーダ２０１に入力されたデータＤinに対して、利用者認証用データＤ１を含んでいるか否かを判断した後（認証サーバ３００による判断後）に、装置識別情報Ｄ２を含んでいるか否かを判断する（バイタルデータ識別サーバ５００による判断を行う）場合を示したが、認証サーバ３００とバイタルデータ識別サーバ５００での判断を並行して同時に行うように構成することも可能である。
【００４０】
また、上述した実施形態では、測定装置４００についての装置識別情報Ｄ２の参照情報Ｄ２refの格納と照合とを独立したバイタルデータ識別サーバ５００に行わせるように構成した場合を示したが、参照情報Ｄ２refの記憶および照合は、業務端末装置２００とネットワークＮを介して通信接続された既設の他のコンピュータに備えられた記憶領域やプロセッサ、たとえば、認証サーバ３００や他の業務端末装置２００にある記憶領域やプロセッサに一元的または分散させて行わせ、バイタルデータ識別サーバ５００を省略することも可能である。
【００４１】
実施形態２
次に、本発明の他の実施形態について、図３および図４に基づいて説明する。
この第２の実施形態に係る医療支援システムは、測定装置４００から送信される装置識別情報Ｄ２に依存せずに、ＩＣカードリーダ２０１に入力されるデータＤinの判定を行うように構成した医療支援システムであって、これに伴って、図３に示すように、バイタルデータ識別サーバ５００を備えていない。その他の構成は、上述した実施形態１と同様であるので、構成が共通する部分は同一の符号を付して説明を省略する。
【００４２】
本実施形態に示す医療支援システムでは、ＩＣカードリーダ２０１が備えられた業務端末装置２００に図４に示す処理を実行するプログラム（ソフトウェア）が備えられている。
【００４３】
すなわち、業務端末装置２００は、プログラムの設定によって、患者のバイタルデータを取り扱う所定のアプリケーション（本実施形態では、看護支援システムのアプリケーション）が起動しているか否かを監視する（図４のＳ４０１参照）。
【００４４】
そして、所定のアプリケーションが起動中である場合、すなわち、業務端末装置２００が看護支援システムとして使用中であるときには、業務端末装置２００は、ＩＣカードリーダ２０１に入力されるデータＤinをバイタルデータとして受け付ける。換言すれば、看護支援システムの起動中はＩＣカードリーダ２０１をバイタルデータ入力用のカードリーダとして取り扱い、バイタルデータの入力待ち受け状態とする（図４のＳ４０２参照）。したがって、この状態でＩＣカードリーダ２０１に測定装置４００が近づけられ、測定装置４００からのデータが入力されると、そのデータはバイタルデータであると判断して、看護支援システムへのデータの取り込み（読取り）が行われる。
【００４５】
これに対して、所定のアプリケーションが起動していない、すなわち、看護支援システムが起動していないときには、業務端末装置２００は、ＩＣカードリーダ２０１に入力されるデータＤinを利用者認証用のデータとして受け付ける。換言すれば、看護支援システムが未起動の状態である場合はＩＣカードリーダ２０１を利用者認証用のカードリーダとして取り扱い、利用者認証用データの入力待ち受け状態とする（図４のＳ４０３参照）。したがって、この状態でＩＣカードリーダ２０１にＩＣカードが近づけられ、ＩＣカードからのデータが入力されると、そのデータは利用者認証用のデータであると判断して、認証サーバ３００にデータを送信し、認証サーバ３００による利用者認証を行わせる。
【００４６】
このように、本実施形態では、ＩＣカードリーダ２０１が接続された業務端末装置２００において、所定のアプリケーションが起動しているか否かに応じてＩＣカードリーダ２０１をバイタルデータの入力用または利用者認証用データの入力用の機器として自動的に切り替えて使用するので、本来、業務端末装置２００に利用者認証用として備えられている非接触式のＩＣカードリーダ２０１をバイタルデータの読み取り用のＩＣカードリーダとしても使用することができ、業務端末装置に接続されるＩＣカードリーダを一つにすることができる。
【００４７】
また、単一のＩＣカードリーダ２０１で利用者認証とバイタルデータの読み取りの双方を行うことができるので、業務端末装置２００に接続されるＩＣカードリーダ２０１の数を少なくでき、持ち運びや操作性に優れた業務端末装置２００を提供することができる。
【００４８】
なお、上述した実施形態はあくまでも本発明の好適な実施態様を示すものであって、本発明はこれらに限定されることなくその範囲内で種々の設計変更が可能である。
【００４９】
たとえば、上述した実施形態では、近距離無線通信がＮＦＣであることを示したが、ＮＦＣの通信規格としては、いわゆるＴｙｐｅ−Ａ、Ｔｙｐｅ−Ｂ、Ｔｙｐｅ−Ｆなど各種通信規格を採用することができる。また、これに伴って、ＩＣカードリーダ２０１は、各種規格に対応したカードリーダを用いることができる。
【符号の説明】
【００５０】
１００        アプリケーションサーバ
２００        業務端末装置
２０１        ＩＣカードリーダ
３００        認証サーバ
４００        バイタルサインの測定装置
４０１        測定部
４０２        データ記憶部
４０３        近距離無線通信部
Ｄ１          利用者認証用データ
Ｄ１ref       利用者認証用データの参照情報
Ｄ２          測定装置の装置識別情報
Ｄ２ref       装置識別情報の参照情報
Ｎ            ネットワーク
【図１】
2020187597.tif 000003
【図２】
2020187597.tif 000004
【図３】
2020187597.tif 000005
【図４】
2020187597.tif 000006
【図５】
2020187597.tif 000007